(57)【要約】【課題】コストアップを抑制しながら黒画像の色つきを抑制することを課題とする。【解決手段】入力した色毎の映像信号の輝度に対応した入力値をＸｉ、該映像信号のホワイトバランス調整後の輝度に対応した出力値をＸｏ、第二の輝度Ｘ２よりも低い基準輝度を表す基準値をＰｉ、ドライブ調整値で表される補正係数をＡ１、カットオフ調整値で表されるオフセット値をＢ１とするとき、入力値Ｘｉが基準値Ｐｉよりも大きい場合にはＸｏ＝Ａ１・Ｘｉ＋Ｂ１となるホワイトバランス調整を行い、入力値Ｘｉが基準値Ｐｉ以下の場合にはＸｏ＝｛（Ａ１・Ｐｉ＋Ｂ１）／Ｐｉ｝・Ｘｉとなるホワイトバランス調整を行い、出力値Ｘｏに対応した色毎の映像信号に対してガンマ変換を行って映像を表示する。【選択図】図３
2012039463.tif 000002
【特許請求の範囲】
【請求項１】
入力した映像信号の色毎のドライブ調整及びカットオフ調整により映像のホワイトバランスを調整するためのドライブ調整値及びカットオフ調整値を記憶した不揮発性メモリを有しホワイトバランス調整後にガンマ変換を行って映像を表示する表示装置と、前記ドライブ調整値及び前記カットオフ調整値を生成するための処理を行う調整手段と、を備えるホワイトバランス調整システムにおいて、
前記調整手段は、
第一の輝度の基準映像を表示させるための第一の基準映像信号に基づいて前記表示装置に表示される第一の基準映像の色度を検出し、前記第一の輝度よりも低い第二の輝度の基準映像を表示させるための第二の基準映像信号に基づいて前記表示装置に表示される第二の基準映像の色度を検出し、前記検出した第一及び第二の基準映像の色度に基づいて前記第一及び第二の基準映像のホワイトバランスを許容範囲内とする前記ドライブ調整値及び前記カットオフ調整値を決定し、
決定した前記ドライブ調整値及び前記カットオフ調整値を前記表示装置に対して出力し、
前記表示装置は、
前記調整手段から前記ドライブ調整値及び前記カットオフ調整値を入力して前記不揮発性メモリに記憶し、
入力した色毎の映像信号の輝度に対応した入力値をＸｉ、該映像信号のホワイトバランス調整後の輝度に対応した出力値をＸｏ、前記第二の輝度よりも低い基準輝度を表す基準値をＰｉ、前記ドライブ調整値で表される補正係数をＡ１、前記カットオフ調整値で表されるオフセット値をＢ１とするとき、前記入力値Ｘｉが前記基準値Ｐｉよりも大きい場合にはＸｏ＝Ａ１・Ｘｉ＋Ｂ１となるホワイトバランス調整を行い、前記入力値Ｘｉが前記基準値Ｐｉ以下の場合にはＸｏ＝｛（Ａ１・Ｐｉ＋Ｂ１）／Ｐｉ｝・Ｘｉとなるホワイトバランス調整を行い、
前記出力値Ｘｏに対応した色毎の映像信号に対して前記ガンマ変換を行って映像を表示することを特徴とするホワイトバランス調整システム。
【請求項２】
前記映像信号には、Ｒ（赤）映像信号とＧ（緑）映像信号とＢ（青）映像信号とが含まれ、
前記ドライブ調整値には、Ｒドライブ調整値とＧドライブ調整値とＢドライブ調整値が含まれ、
前記カットオフ調整値には、Ｒカットオフ調整値とＧカットオフ調整値とＢカットオフ調整値が含まれ、
前記表示装置は、
入力したＲ映像信号の輝度に対応した入力値をＸｒｉ、該Ｒ映像信号のホワイトバランス調整後の輝度に対応した出力値をＸｒｏ、入力したＧ映像信号の輝度に対応した入力値をＸｇｉ、該Ｇ映像信号のホワイトバランス調整後の輝度に対応した出力値をＸｇｏ、入力したＢ映像信号の輝度に対応した入力値をＸｂｉ、該Ｂ映像信号のホワイトバランス調整後の輝度に対応した出力値をＸｂｏ、前記第二の輝度よりも低い基準輝度を表す基準値をＰｉ、前記Ｒドライブ調整値で表される補正係数をＡｒ１、前記Ｒカットオフ調整値で表されるオフセット値をＢｒ１、前記Ｇドライブ調整値で表される補正係数をＡｇ１、前記Ｇカットオフ調整値で表されるオフセット値をＢｇ１、前記Ｂドライブ調整値で表される補正係数をＡｂ１、前記Ｂカットオフ調整値で表されるオフセット値をＢｂ１とするとき、前記入力値Ｘｒｉが前記基準値Ｐｉよりも大きい場合にはＸｒｏ＝Ａｒ１・Ｘｒｉ＋Ｂｒ１となるホワイトバランス調整を行い、前記入力値Ｘｒｉが前記基準値Ｐｉ以下の場合にはＸｒｏ＝｛（Ａｒ１・Ｐｉ＋Ｂｒ１）／Ｐｉ｝・Ｘｒｉとなるホワイトバランス調整を行い、前記入力値Ｘｇｉが前記基準値Ｐｉよりも大きい場合にはＸｇｏ＝Ａｇ１・Ｘｇｉ＋Ｂｇ１となるホワイトバランス調整を行い、前記入力値Ｘｇｉが前記基準値Ｐｉ以下の場合にはＸｇｏ＝｛（Ａｇ１・Ｐｉ＋Ｂｇ１）／Ｐｉ｝・Ｘｇｉとなるホワイトバランス調整を行い、前記入力値Ｘｂｉが前記基準値Ｐｉよりも大きい場合にはＸｂｏ＝Ａｂ１・Ｘｂｉ＋Ｂｂ１となるホワイトバランス調整を行い、前記入力値Ｘｂｉが前記基準値Ｐｉ以下の場合にはＸｂｏ＝｛（Ａｂ１・Ｐｉ＋Ｂｂ１）／Ｐｉ｝・Ｘｂｉとなるホワイトバランス調整を行い、
前記Ｒ映像信号と前記Ｇ映像信号と前記Ｂ映像信号とにホワイトバランス調整を行った後に前記Ｒ映像信号と前記Ｇ映像信号と前記Ｂ映像信号とに対してそれぞれ前記ガンマ変換を行って映像を表示することを特徴とする請求項１に記載のホワイトバランス調整システム。
【請求項３】
入力した映像信号の色毎のドライブ調整及びカットオフ調整により映像のホワイトバランスを調整するためのドライブ調整値及びカットオフ調整値を記憶した不揮発性メモリを有し、ホワイトバランス調整後にガンマ変換を行って映像を表示する表示装置において、
第一の輝度の基準映像を表示させるための第一の基準映像信号に基づいて表示した第一の基準映像の色度、及び、前記第一の輝度よりも低い第二の輝度の基準映像を表示させるための第二の基準映像信号に基づいて表示した第二の基準映像の色度に基づいて決定された前記ドライブ調整値及び前記カットオフ調整値を前記不揮発性メモリに記憶し、
入力した色毎の映像信号の輝度に対応した入力値をＸｉ、該映像信号のホワイトバランス調整後の輝度に対応した出力値をＸｏ、前記第二の輝度よりも低い基準輝度を表す基準値をＰｉ、前記ドライブ調整値で表される補正係数をＡ１、前記カットオフ調整値で表されるオフセット値をＢ１とするとき、前記入力値Ｘｉが前記基準値Ｐｉよりも大きい場合にはＸｏ＝Ａ１・Ｘｉ＋Ｂ１となるホワイトバランス調整を行い、前記入力値Ｘｉが前記基準値Ｐｉ以下の場合にはＸｏ＝｛（Ａ１・Ｐｉ＋Ｂ１）／Ｐｉ｝・Ｘｉとなるホワイトバランス調整を行い、
前記出力値Ｘｏに対応した色毎の映像信号に対して前記ガンマ変換を行って映像を表示することを特徴とする表示装置。
【請求項４】
入力した映像信号の色毎のドライブ調整及びカットオフ調整により映像のホワイトバランスを調整するためのドライブ調整値及びカットオフ調整値を記憶した不揮発性メモリを有する表示装置でホワイトバランス調整後にガンマ変換を行って映像を表示するため、前記ドライブ調整値及び前記カットオフ調整値を生成するための処理を行う調整手段と、を備えるホワイトバランス調整方法において、
第一の輝度の基準映像を表示させるための第一の基準映像信号に基づいて前記表示装置に表示される第一の基準映像の色度を検出し、前記第一の輝度よりも低い第二の輝度の基準映像を表示させるための第二の基準映像信号に基づいて前記表示装置に表示される第二の基準映像の色度を検出し、前記検出した第一及び第二の基準映像の色度に基づいて前記第一及び第二の基準映像のホワイトバランスを許容範囲内とする前記ドライブ調整値及び前記カットオフ調整値を決定し、
決定した前記ドライブ調整値及び前記カットオフ調整値を前記不揮発性メモリに記憶させ、
前記表示装置では、
入力した色毎の映像信号の輝度に対応した入力値をＸｉ、該映像信号のホワイトバランス調整後の輝度に対応した出力値をＸｏ、前記第二の輝度よりも低い基準輝度を表す基準値をＰｉ、前記ドライブ調整値で表される補正係数をＡ１、前記カットオフ調整値で表されるオフセット値をＢ１とするとき、前記入力値Ｘｉが前記基準値Ｐｉよりも大きい場合にはＸｏ＝Ａ１・Ｘｉ＋Ｂ１となるホワイトバランス調整を行い、前記入力値Ｘｉが前記基準値Ｐｉ以下の場合にはＸｏ＝｛（Ａ１・Ｐｉ＋Ｂ１）／Ｐｉ｝・Ｘｉとなるホワイトバランス調整を行い、
前記出力値Ｘｏに対応した色毎の映像信号に対して前記ガンマ変換を行って映像を表示することを特徴とするホワイトバランス調整方法。
【請求項５】
前記表示装置は、前記基準値Ｐｉに対応した記憶用基準値の入力を受け付け、該受け付けた記憶用基準値を前記不揮発性メモリに記憶し、該不揮発性メモリに記憶した記憶用基準値に対応した基準値Ｐｉよりも前記入力値Ｘｉが大きい場合にはＸｏ＝Ａ１・Ｘｉ＋Ｂ１となるホワイトバランス調整を行い、前記入力値Ｘｉが前記記憶用基準値に対応した基準値Ｐｉ以下の場合にはＸｏ＝｛（Ａ１・Ｐｉ＋Ｂ１）／Ｐｉ｝・Ｘｉとなるホワイトバランス調整を行い、
前記出力値Ｘｏに対応した色毎の映像信号に対して前記ガンマ変換を行って映像を表示することを特徴とする、請求項１若しくは請求項２に記載のホワイトバランス調整システム、請求項３に記載の表示装置、又は、請求項４に記載のホワイトバランス調整方法。
【請求項６】
Ｒ（赤）映像信号とＧ（緑）映像信号とＢ（青）映像信号のドライブ調整及びカットオフ調整により映像のホワイトバランスを調整するためのＲドライブ調整値、Ｇドライブ調整値、Ｂドライブ調整値、Ｒカットオフ調整値、Ｇカットオフ調整値、及び、Ｂカットオフ調整値を記憶した不揮発性メモリを有しホワイトバランス調整後にガンマ変換を行って映像を表示するテレビジョンと、該テレビジョンに表示される映像の色度を検出するためのカラーアナライザを有し前記Ｒドライブ調整値、前記Ｇドライブ調整値、前記Ｂドライブ調整値、前記Ｒカットオフ調整値、前記Ｇカットオフ調整値、及び、前記Ｂカットオフ調整値を生成するための処理を行う調整手段と、を備えるホワイトバランス調整システムにおいて、
前記調整手段は、
第一の輝度の基準映像を表示させるための第一の基準映像信号に基づいて前記テレビジョンに表示される第一の基準映像の色度を前記カラーアナライザで検出し、前記第一の輝度よりも低い第二の輝度の基準映像を表示させるための第二の基準映像信号に基づいて前記テレビジョンに表示される第二の基準映像の色度を前記カラーアナライザで検出し、前記検出した第一及び第二の基準映像の色度に基づいて前記第一及び第二の基準映像のホワイトバランスを許容範囲内とする前記Ｒドライブ調整値、前記Ｇドライブ調整値、前記Ｂドライブ調整値、前記Ｒカットオフ調整値、前記Ｇカットオフ調整値、及び、前記Ｂカットオフ調整値を決定し、
決定した前記Ｒドライブ調整値、前記Ｇドライブ調整値、前記Ｂドライブ調整値、前記Ｒカットオフ調整値、前記Ｇカットオフ調整値、及び、前記Ｂカットオフ調整値を前記テレビジョンに対して出力し、
前記テレビジョンは、
前記調整手段から前記Ｒドライブ調整値、前記Ｇドライブ調整値、前記Ｂドライブ調整値、前記Ｒカットオフ調整値、前記Ｇカットオフ調整値、及び、前記Ｂカットオフ調整値を入力して前記不揮発性メモリに記憶し、
入力したＲ映像信号の輝度に対応した入力値をＸｒｉ、該Ｒ映像信号のホワイトバランス調整後の輝度に対応した出力値をＸｒｏ、入力したＧ映像信号の輝度に対応した入力値をＸｇｉ、該Ｇ映像信号のホワイトバランス調整後の輝度に対応した出力値をＸｇｏ、入力したＢ映像信号の輝度に対応した入力値をＸｂｉ、該Ｂ映像信号のホワイトバランス調整後の輝度に対応した出力値をＸｂｏ、前記第二の輝度よりも低い基準輝度を表す基準値をＰｉ、前記Ｒドライブ調整値で表される補正係数をＡｒ１、前記Ｒカットオフ調整値で表されるオフセット値をＢｒ１、前記Ｇドライブ調整値で表される補正係数をＡｇ１、前記Ｇカットオフ調整値で表されるオフセット値をＢｇ１、前記Ｂドライブ調整値で表される補正係数をＡｂ１、前記Ｂカットオフ調整値で表されるオフセット値をＢｂ１とするとき、前記入力値Ｘｒｉが前記基準値Ｐｉよりも大きい場合にはＸｒｏ＝Ａｒ１・Ｘｒｉ＋Ｂｒ１となるホワイトバランス調整を行い、前記入力値Ｘｒｉが前記基準値Ｐｉ以下の場合にはＸｒｏ＝｛（Ａｒ１・Ｐｉ＋Ｂｒ１）／Ｐｉ｝・Ｘｒｉとなるホワイトバランス調整を行い、前記入力値Ｘｇｉが前記基準値Ｐｉよりも大きい場合にはＸｇｏ＝Ａｇ１・Ｘｇｉ＋Ｂｇ１となるホワイトバランス調整を行い、前記入力値Ｘｇｉが前記基準値Ｐｉ以下の場合にはＸｇｏ＝｛（Ａｇ１・Ｐｉ＋Ｂｇ１）／Ｐｉ｝・Ｘｇｉとなるホワイトバランス調整を行い、前記入力値Ｘｂｉが前記基準値Ｐｉよりも大きい場合にはＸｂｏ＝Ａｂ１・Ｘｂｉ＋Ｂｂ１となるホワイトバランス調整を行い、前記入力値Ｘｂｉが前記基準値Ｐｉ以下の場合にはＸｂｏ＝｛（Ａｂ１・Ｐｉ＋Ｂｂ１）／Ｐｉ｝・Ｘｂｉとなるホワイトバランス調整を行い、
前記Ｒ映像信号と前記Ｇ映像信号と前記Ｂ映像信号とにホワイトバランス調整を行った後に前記Ｒ映像信号と前記Ｇ映像信号と前記Ｂ映像信号とに対してそれぞれ前記ガンマ変換を行って映像を表示することを特徴とするホワイトバランス調整システム。
【発明の詳細な説明】
【技術分野】
【０００１】
本発明は、ホワイトバランス調整後にガンマ変換を行って映像を表示するテレビジョン等の表示装置、並びに、この表示装置のホワイトバランスを調整するためのシステム及び方法に関する。
【背景技術】
【０００２】
液晶テレビジョン等の表示装置は、多くの場合、ホワイトバランス調整部やガンマ変換部等を有する画像処理ＬＳＩ（大規模集積回路）がプリント基板に実装されている。液晶テレビジョンの量産時には、液晶パネルのばらつきを吸収するためのホワイトバランス調整を行っている。
ホワイトバランス調整部は、例えば、Ｒ（赤）映像信号のドライブ調整を行うためのＲドライブ調整値、Ｇ（緑）映像信号のドライブ調整を行うためのＧドライブ調整値、Ｂ（青）映像信号のドライブ調整を行うためのＢドライブ調整値、Ｒ映像信号のカットオフ調整を行うためのＲカットオフ調整値、Ｇ映像信号のカットオフ調整を行うためのＧカットオフ調整値、Ｂ映像信号のカットオフ調整を行うためのＢカットオフ調整値、等の調整値を記憶する不揮発性半導体メモリを有している。このホワイトバランス調整部は、Ｒ映像信号とＧ映像信号とＢ映像信号を入力し、不揮発性半導体メモリの調整値に基づいてドライブ調整及びカットオフ調整を行う。これらの調整がホワイトバランス調整である。
【０００３】
上述した調整値は、二点トラッキング法等により決めることができる。二点トラッキング法では、高輝度側（例えば輝度７０％）の基準映像の色度を検出して該検出した色度を所定のターゲット値とするようにドライブを調整し、低輝度側（例えば輝度４０％）の基準映像の色度を検出して該検出した色度を所定のターゲット値とするようにカットオフを調整し、検出した色度のいずれか一方が許容範囲内となるまでドライブ調整とカットオフ調整を繰り返す。
【０００４】
ガンマ変換部は、Ｒ，Ｇ，Ｂのそれぞれにγ−ＬＵＴ（ルックアップテーブル）を有し、上記ホワイトバランス調整の後にＲ映像信号とＧ映像信号とＢ映像信号とに対してそれぞれγ−ＬＵＴを通してガンマ変換を行う。γ−ＬＵＴは、液晶パネル等の表示部のγカーブを補正するための変換テーブルであるが、コントラストを強調（調整）する情報等も含まれる。この場合、γ−ＬＵＴには、輝度に対応した入力階調値を出力階調値に変換するためのＳ字カーブ状の対応関係が規定される。
【０００５】
特許文献１に記載のホワイトバランス調整方法は、予め定めた複数の色温度設定を表示装置の表示画面に表示し、該表示した複数の色温度設定の中から前記表示装置に設定する色温度設定を選択する指示入力を受け付け、該選択された色温度設定に対応する前記調整値について該調整値の設定変更を行うための画面を前記表示装置に表示させ、前記選択された色温度設定に対応する前記調整値の設定を変更する指示入力を受け付け、前記調整値を変更する指示入力に従って前記色温度設定ごとに記憶している調整値を変更する。
【０００６】
特許文献２に記載の液晶表示装置は、該液晶表示装置に予め設定された前記バックライトの発光輝度レベルに応じて、ホワイトバランスを調整するために使用する調整値を変化させ、該調整値に基づいてホワイトバランスを自動的に調整する。
【０００７】
特許文献３に記載の映像処理装置は、映像信号を取得し、コントラスト調整値入力部でユーザーからのコントラスト調整値を入力し、コントラスト調整値入力部へ入力されるコントラスト調整値が最大値か判断し、判断結果が最大値であるとの判断結果である場合に、取得した映像信号に応じてディスプレイ装置に出力可能なＲＧＢ信号の最大値をディスプレイ装置が表現可能な最大値とする。
【０００８】
特許文献４に記載の液晶表示装置は、入力対輝度特性の変換手段を具備し、ブラウン管表示装置の入力対輝度特性と同等な入力対輝度特性範囲と該入力対輝度特性範囲内で白色色温度がほぼ一定であり、平均映像レベルが高いときは、該入力対出力輝度特性範囲相当内で映像出力し、平均映像レベルが低いときは、該入力対出力輝度特性範囲外でも映像出力する。
【先行技術文献】
【特許文献】
【０００９】
【特許文献１】特開２００９−１１１８６８号公報
【特許文献２】特開２００８−０８３４３９号公報
【特許文献３】特開２００７−１４２９８３号公報
【特許文献４】特開平１１−３０５７３４号公報
【発明の概要】
【発明が解決しようとする課題】
【００１０】
上記二点トラッキング法は、ＲＧＢカットオフ調整により黒レベル（理想値はＲ，Ｇ，Ｂ＝０，０，０）のＲＧＢバランスがずれ、結果として映像表示される黒画像に色がついてしまう。
また、特許文献１〜４記載の技術のようにγ−ＬＵＴを変更するためには、画像処理ＬＳＩを大きく変える必要があり、画像処理ＬＳＩの大幅なコストアップとなってしまう。
【００１１】
以上を鑑み、本発明は、コストアップを抑制しながら黒画像の色つきを抑制することが可能なホワイトバランス調整システム、表示装置、及び、ホワイトバランス調整方法の提供を目的としている。
【課題を解決するための手段】
【００１２】
上記目的を達成するため、本発明は、入力した映像信号の色毎のドライブ調整及びカットオフ調整により映像のホワイトバランスを調整するためのドライブ調整値及びカットオフ調整値を記憶した不揮発性メモリを有しホワイトバランス調整後にガンマ変換を行って映像を表示する表示装置と、前記ドライブ調整値及び前記カットオフ調整値を生成するための処理を行う調整手段と、を備えるホワイトバランス調整システムにおいて、
前記調整手段は、
第一の輝度の基準映像を表示させるための第一の基準映像信号に基づいて前記表示装置に表示される第一の基準映像の色度を検出し、前記第一の輝度よりも低い第二の輝度の基準映像を表示させるための第二の基準映像信号に基づいて前記表示装置に表示される第二の基準映像の色度を検出し、前記検出した第一及び第二の基準映像の色度に基づいて前記第一及び第二の基準映像のホワイトバランスを許容範囲内とする前記ドライブ調整値及び前記カットオフ調整値を決定し、
決定した前記ドライブ調整値及び前記カットオフ調整値を前記表示装置に対して出力し、
前記表示装置は、
前記調整手段から前記ドライブ調整値及び前記カットオフ調整値を入力して前記不揮発性メモリに記憶し、
入力した色毎の映像信号の輝度に対応した入力値をＸｉ、該映像信号のホワイトバランス調整後の輝度に対応した出力値をＸｏ、前記第二の輝度よりも低い基準輝度を表す基準値をＰｉ、前記ドライブ調整値で表される補正係数をＡ１、前記カットオフ調整値で表されるオフセット値をＢ１とするとき、前記入力値Ｘｉが前記基準値Ｐｉよりも大きい場合にはＸｏ＝Ａ１・Ｘｉ＋Ｂ１となるホワイトバランス調整を行い、前記入力値Ｘｉが前記基準値Ｐｉ以下の場合にはＸｏ＝｛（Ａ１・Ｐｉ＋Ｂ１）／Ｐｉ｝・Ｘｉとなるホワイトバランス調整を行い、
前記出力値Ｘｏに対応した色毎の映像信号に対して前記ガンマ変換を行って映像を表示することを特徴とする。
【００１３】
また、本発明は、入力した映像信号の色毎のドライブ調整及びカットオフ調整により映像のホワイトバランスを調整するためのドライブ調整値及びカットオフ調整値を記憶した不揮発性メモリを有し、ホワイトバランス調整後にガンマ変換を行って映像を表示する表示装置において、
第一の輝度の基準映像を表示させるための第一の基準映像信号に基づいて表示した第一の基準映像の色度、及び、前記第一の輝度よりも低い第二の輝度の基準映像を表示させるための第二の基準映像信号に基づいて表示した第二の基準映像の色度に基づいて決定された前記ドライブ調整値及び前記カットオフ調整値を前記不揮発性メモリに記憶し、
入力した色毎の映像信号の輝度に対応した入力値をＸｉ、該映像信号のホワイトバランス調整後の輝度に対応した出力値をＸｏ、前記第二の輝度よりも低い基準輝度を表す基準値をＰｉ、前記ドライブ調整値で表される補正係数をＡ１、前記カットオフ調整値で表されるオフセット値をＢ１とするとき、前記入力値Ｘｉが前記基準値Ｐｉよりも大きい場合にはＸｏ＝Ａ１・Ｘｉ＋Ｂ１となるホワイトバランス調整を行い、前記入力値Ｘｉが前記基準値Ｐｉ以下の場合にはＸｏ＝｛（Ａ１・Ｐｉ＋Ｂ１）／Ｐｉ｝・Ｘｉとなるホワイトバランス調整を行い、
前記出力値Ｘｏに対応した色毎の映像信号に対して前記ガンマ変換を行って映像を表示することを特徴とする。
【００１４】
さらに、本発明は、入力した映像信号の色毎のドライブ調整及びカットオフ調整により映像のホワイトバランスを調整するためのドライブ調整値及びカットオフ調整値を記憶した不揮発性メモリを有する表示装置でホワイトバランス調整後にガンマ変換を行って映像を表示するため、前記ドライブ調整値及び前記カットオフ調整値を生成するための処理を行う調整手段と、を備えるホワイトバランス調整方法において、
第一の輝度の基準映像を表示させるための第一の基準映像信号に基づいて前記表示装置に表示される第一の基準映像の色度を検出し、前記第一の輝度よりも低い第二の輝度の基準映像を表示させるための第二の基準映像信号に基づいて前記表示装置に表示される第二の基準映像の色度を検出し、前記検出した第一及び第二の基準映像の色度に基づいて前記第一及び第二の基準映像のホワイトバランスを許容範囲内とする前記ドライブ調整値及び前記カットオフ調整値を決定し、
決定した前記ドライブ調整値及び前記カットオフ調整値を前記不揮発性メモリに記憶させ、
前記表示装置では、
入力した色毎の映像信号の輝度に対応した入力値をＸｉ、該映像信号のホワイトバランス調整後の輝度に対応した出力値をＸｏ、前記第二の輝度よりも低い基準輝度を表す基準値をＰｉ、前記ドライブ調整値で表される補正係数をＡ１、前記カットオフ調整値で表されるオフセット値をＢ１とするとき、前記入力値Ｘｉが前記基準値Ｐｉよりも大きい場合にはＸｏ＝Ａ１・Ｘｉ＋Ｂ１となるホワイトバランス調整を行い、前記入力値Ｘｉが前記基準値Ｐｉ以下の場合にはＸｏ＝｛（Ａ１・Ｐｉ＋Ｂ１）／Ｐｉ｝・Ｘｉとなるホワイトバランス調整を行い、
前記出力値Ｘｏに対応した色毎の映像信号に対して前記ガンマ変換を行って映像を表示することを特徴とする。
【発明の効果】
【００１５】
本発明によれば、コストアップを抑制しながら黒画像の色つきを抑制することが可能なホワイトバランス調整システム、表示装置、及び、ホワイトバランス調整方法を提供することができる。
【図面の簡単な説明】
【００１６】
【図１】ホワイトバランス調整システムを例示するブロック図である。
【図２】テレビジョンの構成を例示するブロック図である。
【図３】（ａ）は黒レベル調整前のホワイトバランス調整の例を模式的に説明するための図、（ｂ）は黒レベル調整後のホワイトバランス調整の例を模式的に説明する図、である。
【図４】不揮発性メモリに記憶される調整値を例示する図である。
【図５】γ−ＬＵＴの対応関係を例示する図である。
【図６】カラーアナライザの概略構成を例示するブロック図である。
【図７】ホワイトバランス調整用コンピュータのハードウェア構成を例示するブロック図である。
【図８】調整値設定処理を例示するフローチャートである。
【図９】表示装置で行われるドライブ調整処理を例示するフローチャートである。
【図１０】表示装置で行われる基準値入力処理を例示するフローチャートである。
【図１１】（ａ）はドライブ調整の例を模式的に説明するための図、（ｂ）はカットオフ調整の例を模式的に説明する図、である。
【発明を実施するための形態】
【００１７】
（１）ホワイトバランス調整システムの概略：
図１に例示するホワイトバランス（以下、ＷＢとも記載）調整システム１は、表示装置であるテレビジョン（ＴＶ）１００と、調整手段２と、を備え、ＴＶ１００の製造工場等に設けられる。図１に例示する調整手段２は、パターンジェネレータ２０、カラーアナライザ３０、ホワイトバランス調整用コンピュータ４０、を備えている。ＴＶ１００は、所定の信号ケーブル２８でパターンジェネレータ２０に接続され、所定の信号ケーブル４９でコンピュータ４０に接続されている。図１，２に例示するＴＶ１００は、テレビジョン本体１０１とリモコン（リモートコントロール装置）１８０とを備える薄型表示装置とされている。むろん、本発明を適用可能なＴＶは、液晶テレビジョンの他、プラズマテレビジョンといった薄型表示装置、受像管表示装置、記録再生装置が一体化されたテレビジョン、等のディスプレイでもよい。前記記録再生装置には、ハードディスク記録再生装置、ＢＤ（Blue-ray Disc）記録再生装置、ＤＶＤ（Digital Versatile Disk）記録再生装置、ビデオデッキ、等が含まれる。
リモコン１８０は、リモコン側送受信装置１８８、複数の操作ボタン（操作入力手段）１８１、等を備え、テレビジョン本体１０１の外部において持ち運び可能とされている。
【００１８】
上記ＴＶ１００に例示される表示装置は、入力した映像信号の色毎のドライブ調整及びカットオフ調整により映像のホワイトバランスを調整するためのドライブ調整値（Ａ１）及びカットオフ調整値（Ｂ１）を記憶した不揮発性メモリ１４０を有し、ＷＢ調整後にガンマ変換を行って映像を表示する。ここで、ガンマ変換は、液晶パネル等の表示部そのものの厳密なγカーブを補正する処理のみならず、コントラストを強調（調整）する等の処理が含まれてもよい。調整手段２は、調整値（Ａ１，Ｂ１）を生成するための処理を行う。
【００１９】
調整手段２は、第一の輝度Ｘ１の基準映像Ｖ１を表示させるための第一の基準映像信号ＳＳ１に基づいて表示装置（１００）に第一の基準映像Ｖ１が表示されているとき、この第一の基準映像Ｖ１の色度（ｘｙ）を検出する。また、調整手段２は、第一の輝度Ｘ１よりも低い第二の輝度Ｘ２の基準映像Ｖ２を表示させるための第二の基準映像信号ＳＳ２に基づいて表示装置（１００）に第二の基準映像Ｖ２が表示されているとき、この第二の基準映像Ｖ２の色度（ｘｙ）を検出する。検出する色度には、国際照明委員会（ＣＩＥ）で規定されたｘｙ色度そのもの、ｘｙ色度に補正係数を乗じた値などｘｙ色度に対応した値、等が含まれ、間接的に色度を検出することが含まれる。調整手段２は、検出した基準映像Ｖ１，Ｖ２の色度（ｘｙ）に基づいて第一及び第二の基準映像Ｖ１，Ｖ２のホワイトバランスを許容範囲内とする調整値（Ａ１，Ｂ１）を決定する。
【００２０】
さらに、調整手段２は、決定したドライブ調整値（Ａ１）、及び、カットオフ調整値（Ｂ１）を表示装置（１００）に対して出力する。
【００２１】
表示装置（１００）は、調整手段２からドライブ調整値（Ａ１）、及び、カットオフ調整値（Ｂ１）を入力して不揮発性メモリ１４０に記憶する。
ここで、入力した色毎の映像信号の輝度に対応した入力値をＸｉ、該映像信号のＷＢ調整後の輝度に対応した出力値をＸｏ、第二の輝度Ｘ２よりも低い基準輝度を表す基準値をＰｉ、前記ドライブ調整値で表される補正係数をＡ１、前記カットオフ調整値で表されるオフセット値をＢ１とする。入力値Ｘｉが基準値Ｐｉよりも大きい場合、表示装置（１００）は、
Ｘｏ＝Ａ１・Ｘｉ＋Ｂ１  …（１）
となるＷＢ調整を行う。入力値Ｘｉが基準値Ｐｉ以下の場合、表示装置（１００）は、
Ｘｏ＝｛（Ａ１・Ｐｉ＋Ｂ１）／Ｐｉ｝・Ｘｉ  …（２）
となるＷＢ調整を行う。
なお、上述のＷＢ調整は、Ｘｉ≧Ｐｉの場合に上記式（１）となるＷＢ調整を行い、Ｘｉ＜Ｐｉの場合に上記式（２）となるＷＢ調整を行うことと同じである。このようなＷＢ調整も、請求項に係る発明に含まれる。
【００２２】
さらに、表示装置（１００）は、出力値Ｘｏに対応した色毎の映像信号に対して前記ガンマ変換を行って映像を表示する。
【００２３】
カットオフを調整するための低輝度側の輝度Ｘ２よりも低い基準輝度（基準値Ｐｉ）よりもさらに低い映像は、上記式（２）となるＷＢ調整が行われる。これにより、（Ｒ，Ｇ，Ｂ）＝（０，０，０）の黒画像が出力値０に変換され、黒画像の色つきが抑制される。
また、高輝度側のドライブ調整及び低輝度側のカットオフ調整の２点調整により、色温度のリニアリティが実現される。すなわち、今まで行われてきているホワイトバランス補正性能が維持される。
さらに、今まで行われてきている２点調整方法に変更が無いため、表示装置生産時のラインピッチが維持される。このことは、ＷＢ調整を向上させるために表示装置生産の工程を追加する必要が無いことを意味し、生産時のデメリットが無い。
加えて、画像処理ＬＳＩに上記式（２）を演算するための乗算回路を追加するだけで黒画像の色つきを抑制したＷＢ調整を行うことができるので、γ−ＬＵＴを変更する必要が無い。
従って、本ＷＢ調整システム１は、ＷＢ調整後にガンマ変換を行って映像を表示する表示装置（１００）においてコストアップを抑制しながら黒画像の色つきを抑制することが可能となる。
【００２４】
上記表示装置（１００）は、第一の輝度Ｘ１の基準映像Ｖ１を表示させるための第一の基準映像信号ＳＳ１に基づいて表示した第一の基準映像Ｖ１の色度（ｘｙ）、及び、前記第一の輝度Ｘ１よりも低い第二の輝度Ｘ２の基準映像Ｖ２を表示させるための第二の基準映像信号ＳＳ２に基づいて表示した第二の基準映像Ｖ２の色度（ｘｙ）に基づいて決定された前記ドライブ調整値（Ａ１）及び前記カットオフ調整値（Ｂ１）を前記不揮発性メモリ１４０に記憶し、
入力した色毎の映像信号の輝度に対応した入力値をＸｉ、該映像信号のホワイトバランス調整後の輝度に対応した出力値をＸｏ、前記第二の輝度Ｘ２よりも低い基準輝度を表す基準値をＰｉ、前記ドライブ調整値（Ａ１）で表される補正係数をＡ１、前記カットオフ調整値（Ｂ１）で表されるオフセット値をＢ１とするとき、前記入力値Ｘｉが前記基準値Ｐｉよりも大きい場合にはＸｏ＝Ａ１・Ｘｉ＋Ｂ１となるホワイトバランス調整を行い、前記入力値Ｘｉが前記基準値Ｐｉ以下の場合にはＸｏ＝｛（Ａ１・Ｐｉ＋Ｂ１）／Ｐｉ｝・Ｘｉとなるホワイトバランス調整を行い、
前記出力値Ｘｏに対応した色毎の映像信号に対して前記ガンマ変換を行って映像を表示することを特徴とする。
【００２５】
また、入力した映像信号の色毎のドライブ調整により映像のＷＢを調整するためのドライブ調整値（Ａ１）及びカットオフ調整値（Ｂ１）を記憶した不揮発性メモリ１４０を有する表示装置（１００）でＷＢ調整後にガンマ変換を行って映像を表示するため、前記ドライブ調整値（Ａ１）及び前記カットオフ調整値（Ｂ１）を生成するＷＢ調整方法においては、
第一の輝度Ｘ１の基準映像Ｖ１を表示させるための第一の基準映像信号ＳＳ１に基づいて前記表示装置（１００）に表示される第一の基準映像Ｖ１の色度（ｘｙ）を検出し、前記第一の輝度Ｘ１よりも低い第二の輝度Ｘ２の基準映像Ｖ２を表示させるための第二の基準映像信号ＳＳ２に基づいて前記表示装置（１００）に表示される第二の基準映像Ｖ２の色度（ｘｙ）を検出し、前記検出した第一及び第二の基準映像Ｖ１，Ｖ２の色度（ｘｙ）に基づいて前記第一及び第二の基準映像Ｖ１，Ｖ２のホワイトバランスを許容範囲内とする前記ドライブ調整値（Ａ１）及び前記カットオフ調整値（Ｂ１）を決定し、
決定した前記ドライブ調整値（Ａ１）及び前記カットオフ調整値（Ｂ１）を前記不揮発性メモリ１４０に記憶させ、
前記表示装置（１００）では、
入力した色毎の映像信号の輝度に対応した入力値をＸｉ、該映像信号のホワイトバランス調整後の輝度に対応した出力値をＸｏ、前記第二の輝度Ｘ２よりも低い基準輝度を表す基準値をＰｉ、前記ドライブ調整値（Ａ１）で表される補正係数をＡ１、前記カットオフ調整値（Ｂ１）で表されるオフセット値をＢ１とするとき、前記入力値Ｘｉが前記基準値Ｐｉよりも大きい場合にはＸｏ＝Ａ１・Ｘｉ＋Ｂ１となるホワイトバランス調整を行い、前記入力値Ｘｉが前記基準値Ｐｉ以下の場合にはＸｏ＝｛（Ａ１・Ｐｉ＋Ｂ１）／Ｐｉ｝・Ｘｉとなるホワイトバランス調整を行い、
前記出力値Ｘｏに対応した色毎の映像信号に対して前記ガンマ変換を行って映像を表示することを特徴とする。
【００２６】
前記映像信号には、Ｒ（赤）映像信号とＧ（緑）映像信号とＢ（青）映像信号とが含まれ、
前記ドライブ調整値（Ａ１）には、Ｒドライブ調整値とＧカットオフ調整値とＢドライブ調整値が含まれ、
前記カットオフ調整値（Ｂ１）には、Ｒカットオフ調整値とＧカットオフ調整値とＢカットオフ調整値が含まれ、
前記表示装置（１００）は、
入力したＲ映像信号の輝度に対応した入力値をＸｒｉ、該Ｒ映像信号のホワイトバランス調整後の輝度に対応した出力値をＸｒｏ、入力したＧ映像信号の輝度に対応した入力値をＸｇｉ、該Ｇ映像信号のホワイトバランス調整後の輝度に対応した出力値をＸｇｏ、入力したＢ映像信号の輝度に対応した入力値をＸｂｉ、該Ｂ映像信号のホワイトバランス調整後の輝度に対応した出力値をＸｂｏ、前記第二の輝度Ｘ２よりも低い基準輝度を表す基準値をＰｉ、前記Ｒドライブ調整値で表される補正係数をＡｒ１、前記Ｒカットオフ調整値で表されるオフセット値をＢｒ１、前記Ｇドライブ調整値で表される補正係数をＡｇ１、前記Ｇカットオフ調整値で表されるオフセット値をＢｇ１、前記Ｂドライブ調整値で表される補正係数をＡｇ１、前記Ｂカットオフ調整値で表されるオフセット値をＢｂ１とするとき、前記入力値Ｘｒｉが前記基準値Ｐｉよりも大きい場合にはＸｒｏ＝Ａｒ１・Ｘｒｉ＋Ｂｒ１となるホワイトバランス調整を行い、前記入力値Ｘｒｉが前記基準値Ｐｉ以下の場合にはＸｒｏ＝｛（Ａｒ１・Ｐｉ＋Ｂｒ１）／Ｐｉ｝・Ｘｒｉとなるホワイトバランス調整を行い、前記入力値Ｘｇｉが前記基準値Ｐｉよりも大きい場合にはＸｇｏ＝Ａｇ１・Ｘｇｉ＋Ｂｇ１となるホワイトバランス調整を行い、前記入力値Ｘｇｉが前記基準値Ｐｉ以下の場合にはＸｇｏ＝｛（Ａｇ１・Ｐｉ＋Ｂｇ１）／Ｐｉ｝・Ｘｇｉとなるホワイトバランス調整を行い、前記入力値Ｘｂｉが前記基準値Ｐｉよりも大きい場合にはＸｂｏ＝Ａｂ１・Ｘｂｉ＋Ｂｂ１となるホワイトバランス調整を行い、前記入力値Ｘｂｉが前記基準値Ｐｉ以下の場合にはＸｂｏ＝｛（Ａｂ１・Ｐｉ＋Ｂｂ１）／Ｐｉ｝・Ｘｂｉとなるホワイトバランス調整を行い、
前記Ｒ映像信号と前記Ｇ映像信号と前記Ｂ映像信号とにホワイトバランス調整を行った後に前記Ｒ映像信号と前記Ｇ映像信号と前記Ｂ映像信号とに対してそれぞれ前記ガンマ変換を行って映像を表示してもよい。すると、良好なＷＢ調整を行うことができる。
【００２７】
上述したＷＢ調整システム１、表示装置（１００）、又は、ＷＢ調整方法において、
前記表示装置（１００）は、前記基準値Ｐｉに対応した記憶用基準値の入力を受け付け、該受け付けた記憶用基準値を前記不揮発性メモリ１４０に記憶し、該不揮発性メモリ１４０に記憶した記憶用基準値に対応した基準値Ｐｉよりも前記入力値Ｘｉが大きい場合にはＸｏ＝Ａ１・Ｘｉ＋Ｂ１となるホワイトバランス調整を行い、前記入力値Ｘｉが前記記憶用基準値に対応した基準値Ｐｉ以下の場合にはＸｏ＝｛（Ａ１・Ｐｉ＋Ｂ１）／Ｐｉ｝・Ｘｉとなるホワイトバランス調整を行い、
前記出力値Ｘｏに対応した色毎の映像信号に対して前記ガンマ変換を行って映像を表示してもよい。すると、容易に基準値Ｐｉを設定することができるので、容易にＷＢ調整を行うことができる。
【００２８】
（２）ホワイトバランス調整システムの構成：
図２に例示するテレビジョン本体１０１は、マイクロコンピュータ（マイコン）１１０、本体側送受信装置１１９、表示手段１２０、音声出力回路１４９、等を備え、テレビジョン放送信号受信用のアンテナ１２２から受信した信号に基づいて映像及び音声を出力する。
まず、表示手段１２０の各部を説明する。
【００２９】
チューナ回路１２１は、例えば、マイコン１１０の制御により、ＰＬＬ（Phase Lock Loop）シンセサイザ方式の選局方式で選局し、アンテナ１２２から受信したテレビジョン放送信号を高周波増幅し、増幅後の信号をヘテロダイン検波によって中間周波信号に変換する。中間周波増幅回路１２３は、チューナ回路１２１から前記中間周波信号を入力し、該中間周波信号を増幅して映像検波回路１２４へ出力する。映像検波回路１２４は、中間周波増幅回路１２３から入力される中間周波信号から復号映像信号及び音声信号を取り出す。復号映像信号には、輝度信号や搬送色信号や同期信号が含まれる。ＡＧＣ（Automatic Gain Control）回路１２５は、映像検波回路１２４から同期信号を入力し、該同期信号の大きさ強さに応じたＲＦ−ＡＧＣ（Radio Frequency Automatic Gain Control）電圧およびＩＦ−ＡＧＣ（Intermediate Frequency Automatic Gain Control）電圧を生成する。
【００３０】
画像処理部１２６は、色変換部１３１、ホワイトバランス調整部１３２、ガンマ変換部１３３、等を備え、主にＬＳＩ（画像処理ＩＣ）で構成される。画像処理部１２６は、入力される映像信号に対して所定の画像処理を行い、処理後の信号をドライバ１２７へ出力する。画像処理部１２６は、入力を映像検波回路１２４からの映像信号とするか映像入力端子１５１からの映像信号とするかを切り替えるための図示しない切替回路を備えている。映像入力端子１５１は、ＨＤＭＩ（high-definition multimedia interface）端子、コンポーネント映像端子、Ｄ端子、Ｓ映像端子、コンポジット映像端子、等の端子を採用することができる。
色変換部１３１は、映像検波回路１２４からの映像信号に基づいた輝度信号Ｙ及び色差信号Ｃｂ，Ｃｒを有するＹＣｂＣｒ映像信号を入力し、このＹＣｂＣｒ映像信号を公知の対応関係に従ってＲ，Ｇ，Ｂの色成分毎にデジタルの階調値で表されるＲＧＢ映像信号に色変換する。このＲＧＢ映像信号は、赤の色成分の映像信号を意味するＲ映像信号、緑の色成分の映像信号を意味するＧ映像信号、及び、青の色成分の映像信号を意味するＲ映像信号を含んでいる。
【００３１】
ホワイトバランス調整部１３２は、図４に例示するドライブ調整値及びカットオフ調整値を記憶した不揮発性メモリ１４０を有し、色変換部１３１からのＲＧＢ映像信号を入力してＲ，Ｇ，Ｂの色毎に映像のＷＢを修正する。不揮発性メモリ１４０は、上記画像処理ＩＣ内に設けられるＥＥＰＲＯＭ（Electrically Erasable and Programmable Read Only Memory）といった電気的にデータを書き換え可能な不揮発性半導体メモリ等で構成することができる。本ホワイトバランス調整部１３２は、不揮発性メモリ１４０に記憶されているＲドライブ調整値及びＲカットオフ調整値で表される階調特性に従ってＲ映像信号の階調値を変換し、不揮発性メモリ１４０に記憶されているＧドライブ調整値及びＧカットオフ調整値で表される階調特性に従ってＧ映像信号の階調値を変換し、不揮発性メモリ１４０に記憶されているＢドライブ調整値及びＢカットオフ調整値で表される階調特性に従ってＢ映像信号の階調値を変換する。ここで、ＲＧＢ映像信号の階調特性とは、色成分Ｒ，Ｇ，Ｂから選ばれる該当色成分の最低輝度に相当する階調値０から最大輝度に相当する最大階調値（例えば、階調値２５５や階調値１０２３）までの変換前後の対応関係の性質を意味する。
【００３２】
なお、ＷＢは、ある色成分の映像信号の強度（階調値の大きさ）に対する他の色成分の映像信号の強度の比を変えることにより調整することができるので、Ｒ，Ｇ，Ｂのいずれかの映像信号に対する階調値変換を行わないようにすることもできる。例えば、Ｇ映像信号の強度に対するＲ，Ｂ映像信号の強度の比を変える場合、不揮発性メモリ１４０にＧドライブ調整値及びＧカットオフ調整値を記憶させず、Ｇ映像信号の階調値変換を行わずに映像のＷＢを調整することができる。むろん、Ｒドライブ調整値及びＲカットオフ調整値を記憶させずＲ映像信号の階調値変換を行わないＷＢ調整や、Ｂドライブ調整値及びＢカットオフ調整値を記憶させずＢ映像信号の階調値変換を行わないＷＢ調整も、可能である。
【００３３】
ガンマ変換部１３３は、ホワイトバランス調整部１３２からのデジタルのＲＧＢ映像信号を入力してＲ，Ｇ，Ｂの色毎に図５に例示するγ−ＬＵＴ（ルックアップテーブル）に従ったガンマ変換を行う。ガンマ変換部１３３は、Ｒ用のγ−ＬＵＴで表される階調特性に従ってＷＢ調整後のＲ映像信号の階調値を変換し、Ｇ用のγ−ＬＵＴで表される階調特性に従ってＷＢ調整後のＧ映像信号の階調値を変換し、Ｂ用のγ−ＬＵＴで表される階調特性に従ってＷＢ調整後のＢ映像信号の階調値を変換する。ここでの階調特性も、色成分Ｒ，Ｇ，Ｂから選ばれる該当色成分の最低輝度に相当する階調値０から最大輝度に相当する最大階調値（例えば、階調値２５５や階調値１０２３）までの変換前後の対応関係の性質を意味する。γ−ＬＵＴは、液晶パネル１２８ａのγカーブを補正するための変換テーブルであるが、コントラストを強調（調整）する情報等も含まれる。図５に示すγ−ＬＵＴには輝度に対応した入力階調値を出力階調値に変換するためのＳ字カーブ状の対応関係が規定されているが、γ−ＬＵＴの対応関係はＳ字カーブ状に限定されない。
【００３４】
ドライバ１２７は、ガンマ変換部１３３からのデジタルのＲＧＢ映像信号を入力し、液晶モジュール１２８を駆動するための駆動信号をＲＧＢ映像信号に従って生成し、この駆動信号を液晶モジュール１２８へ出力する。
【００３５】
液晶モジュール１２８は、画面となる液晶パネル１２８ａ、液晶パネル１２８ａを背面から照射するバックライト１２８ｂ、入力される電源電圧から所定の高電圧を生成してバックライト１２８ｂに供給するインバータ１２８ｃ、を備えている。液晶モジュール１２８は、ドライバ１２７からの駆動信号を入力し、この駆動信号に従ってバックライト１２８ｂを点灯させながら画面（液晶パネル１２８ａ）に映像を表示させる。
以上より、画像処理部１２６に入力される映像信号に対応した映像がＴＶ１００の画面（液晶パネル１２８ａ）に表示される。
【００３６】
音声出力回路１４９は、映像検波回路１２４から音声信号を入力し、この音声信号に対応した音声をスピーカから出力する。
【００３７】
マイコン１１０は、内部のバスに接続されたＣＰＵ（Central Processing Unit）１１１、半導体メモリ１１２，１１３、時計回路１１４、ＯＳＤ（On-Screen Display）回路１１５、Ｉ／Ｏ（入出力）回路、等を備えている。ＣＰＵ１１１は、ＲＡＭ（Random Access Memory）１１３をワークエリアとして利用しながらＲＯＭ（Read Only Memory）１１２に書き込まれたテレビジョン用の制御プログラムを実行し、ＴＶ１００全体の動作を制御する。ＲＯＭ１１２には、コンピュータをＴＶ１００として機能させる複数のプログラムが書き込まれている。時計回路１１４は、現在時刻を計時し、一定時間毎に割込信号を生成してＣＰＵ１１１へ出力可能である。ＯＳＤ回路１１５は、ＯＳＤ画面の被重畳信号を生成して画像処理部１２６へ出力する。
マイコン１１０には、リモコン側送受信装置１８８と赤外線信号（無線信号）ＳＩ１を送受信可能な本体側送受信装置１１９、ＷＢ調整用コンピュータ４０とデータを送受信可能なインターフェイス（Ｉ／Ｆ）１５２、等が接続されている。
【００３８】
図１に例示するパターンジェネレータ２０は、基準映像信号ＳＳ１，ＳＳ２を生成する信号生成部２１、生成された前記基準映像信号ＳＳ１，ＳＳ２を出力する信号出力端子２２、等を備え、信号ケーブル２８を介してＴＶ１００の映像入力端子１５１に接続されている。第一の基準映像信号ＳＳ１は、第一の輝度Ｘ１の基準映像Ｖ１を液晶パネル１２８ａに表示させるための映像信号である。第二の基準映像信号ＳＳ２は、第一の輝度Ｘ１よりも低い第二の輝度Ｘ２の基準映像Ｖ２を表示させるための映像信号である。第一及び第二の輝度Ｘ１，Ｘ２は、液晶パネル１２８ａに応じて好ましい輝度に設定される。基準映像信号ＳＳ１，ＳＳ２は、同時に両基準映像Ｖ１，Ｖ２を液晶パネル１２８ａに表示するための信号でもよい。信号出力端子２２は、映像入力端子１５１に合わせて、ＨＤＭＩ端子、コンポーネント映像端子、Ｄ端子、Ｓ映像端子、コンポジット映像端子、等の端子を採用することができる。
なお、ＴＶにパターンジェネレータの機能があれば、パターンジェネレータを外付けしなくてもよく、内蔵のパターンジェネレータを利用することができる。
【００３９】
図６に例示されるカラーアナライザ３０は、マイコン３１にＡ／Ｄ（アナログ／デジタル）変換回路３２、シリアルＩ／Ｆ（ＵＳＢＩ／Ｆ、ＲＳ−２３２ＣＩ／Ｆ、等）３３、操作パネル３４、等が接続され、Ａ／Ｄ変換回路３２にプローブ３５が接続されている。Ｉ／Ｆ３３は、所定の信号ケーブル（ＵＳＢケーブル、ＲＳ−２３２Ｃケーブル、等）３９でコンピュータ４０のＩ／Ｆ４２ｂに接続されている。
【００４０】
プローブ３５は、例えばシリコンフォトセルからなる受光素子を備えており、液晶パネル１２８ａの表示画面に同受光素子の受光面を向け、表示された映像の色成分量を電圧信号に変換することにより検出する。色成分量には、例えば、CIE規格のｘｙ色度に対応する量と、輝度Ｙに対応する量とが含まれる。Ａ／Ｄ変換回路３２は、プローブ３５で検出された色成分量をアナログ量からデジタルの色成分値に変換する。従って、マイコン３１は、ｘｙ色度に対応する値と、輝度Ｙに対応する値とを取得することができる。マイコン３１は、操作パネル３４への操作入力を受け付けるとともに、Ｉ／Ｆ３３を介してコンピュータ４０からの入力も受け付け可能であり、入力内容に応じてカラーアナライザ３０全体の制御を行う。マイコン３１は、Ａ／Ｄ変換回路３２から色度ｘｙを含む色成分値を入手すると、ケーブル３９を介してコンピュータ４０へ色成分値を出力する。
なお、複数の基準映像を液晶パネル１２８ａに表示する場合、同時に表示される数のプローブ３５及びＡ／Ｄ変換回路３２をカラーアナライザ３０に設け、各基準映像の色度を検出してもよい。
【００４１】
図７に例示されるＷＢ調整用コンピュータ４０は、バス４１ｈに、ＣＰＵ４１ａ、ＲＯＭ４１ｂ、ＲＡＭ４１ｃ、ディスプレイ４１ｄ１が接続されたＩ／Ｆ４１ｄ、ハードディスクドライブ４１ｅ、キーボードやポインティングデバイスといった入力装置４１ｆ、Ｉ／Ｏポート４１ｇ、ＴＶ１００用のＩ／Ｆ４２ａ、カラーアナライザ３０用のＩ／Ｆ４２ｂ、等が接続されたパーソナルコンピュータ（ＰＣ）とされている。ＲＯＭ４１ｂには所定の制御プログラムが書き込まれており、ＣＰＵ４１ａは、ＲＡＭ４１ｃをワークエリアとして使用しながら同制御プログラムを実行する。ハードディスクドライブ４１ｅにはＷＢ調整処理を行うためのアプリケーションプログラムが格納されており、適宜ＲＡＭに読み出されて実行される。そして、ＰＣ４０は、各種の値をＴＶ１００に対して出力することにより、表示される映像のＷＢ調整を行う。
なお、コンピュータ４０には、デスクトップ型、ノート型、といったＰＣの他、ＰＣ以外のコンピュータも採用可能である。
【００４２】
（３）ホワイトバランス調整の説明：
まず、図１１（ａ），（ｂ）を参照してＷＢ調整における「ドライブ調整」と「カットオフ調整」を説明する。
図１１（ａ）は、ＲＧＢ映像信号に対する「ドライブ調整」の入出力の対応関係を例示している。ここで、横軸は入力した色毎の映像信号の輝度に対応した入力値Ｘｉ、縦軸は該映像信号のドライブ調整後の輝度に対応した出力値Ｘｏ、である。図１１（ａ）に示す値Ｘｉ，Ｘｏは入力映像信号の最大輝度に対応した値を１００％とする相対値とされているが、実際の変換処理では値Ｘｉ，Ｘｏに０〜２５５の階調値や０〜１０２３の階調値等を用いるとよい。図１１（ａ）の直線状の対応関係Ｃ９１は、入力値Ｘｉが補正されない補正係数Ａ１＝１の階調特性を示している。この場合、入力映像信号の最大輝度の７０％（高輝度側）に相当する基準映像のＷＢのとれるＸｉ−Ｘｏ平面上の点は、Ｐ９１となる。
【００４３】
例えば、Ｇ映像信号の強度に対してＷＢのとれるＲ映像信号の強度が相対的に低い場合、Ｒ映像信号の階調値を大きくする必要がある。Ｘｉ＝７０％の基準映像のＷＢのとれるＸｉ−Ｘｏ平面上の点がＰ９２である場合、Ｒ映像信号のゲイン（補正係数Ａｒ１）を１よりも大きくし、Ｒ映像信号の入出力の対応関係をＣ９２の直線状対応関係のようにする。一方、Ｇ映像信号の強度に対してＷＢのとれるＲ映像信号の強度が相対的に高い場合、Ｒ映像信号の階調値を小さくする必要がある。Ｘｉ＝７０％の基準映像のＷＢのとれるＸｉ−Ｘｏ平面上の点がＰ９３である場合、Ｒ映像信号のゲイン（補正係数Ａｒ１）を１よりも小さくし、Ｒ映像信号の入出力の対応関係をＣ９３の直線状対応関係のようにする。Ｂ映像信号の場合も、同様である。Ｇ映像信号のドライブを調整する場合のＧ映像信号のドライブ調整も、同様である。
上述したゲイン操作が「ドライブ調整」である。
【００４４】
図１１（ｂ）は、ＲＧＢ映像信号に対する「カットオフ調整」の入出力の対応関係を例示している。ここで、横軸は入力した色毎の映像信号の輝度に対応した入力値Ｘｉ、縦軸は該映像信号のカットオフ調整後の輝度に対応した出力値Ｘｏ、である。ドライブ調整と同様、実際の変換処理では値Ｘｉ，Ｘｏに０〜２５５の階調値や０〜１０２３の階調値等を用いるとよい。図１１（ｂ）の直線状の対応関係Ｃ９４は、入力値Ｘｉが補正されないオフセット値Ｂ１＝０の階調特性を示している。この場合、入力映像信号の最大輝度の４０％（低輝度側）に相当する基準映像のＷＢのとれるＸｉ−Ｘｏ平面上の点は、Ｐ９４となる。
【００４５】
例えば、Ｇ映像信号の強度に対してＷＢのとれるＲ映像信号の強度が相対的に低い場合、Ｒ映像信号の階調値を大きくする必要がある。Ｘｉ＝４０％の基準映像のＷＢのとれるＸｉ−Ｘｏ平面上の点がＰ９５である場合、Ｒ映像信号のオフセット（オフセット値Ｂｒ１）を０よりも大きくし、Ｒ映像信号の入出力の対応関係をＣ９５の直線状対応関係のようにする。一方、Ｇ映像信号の強度に対してＷＢのとれるＲ映像信号の強度が相対的に高い場合、Ｒ映像信号の階調値を小さくする必要がある。Ｘｉ＝４０％の基準映像のＷＢのとれるＸｉ−Ｘｏ平面上の点がＰ９６である場合、Ｒ映像信号のオフセット（オフセット値Ｂｒ１）を０よりも小さくし、Ｒ映像信号の入出力の対応関係をＣ９６の直線状対応関係のようにする。Ｂ映像信号の場合も、同様である。Ｇ映像信号のドライブを調整する場合のＧ映像信号のドライブ調整も、同様である。
上述したオフセット操作が「カットオフ調整」である。
【００４６】
次に、図３（ａ），（ｂ）を参照してＷＢ調整を説明する。
図３（ａ）は、ＲＧＢ映像信号の黒レベル調整前の入出力の対応関係を例示している。ここで、横軸は入力した色毎の映像信号の輝度に対応した入力値Ｘｉ、縦軸は該映像信号のドライブ調整後の輝度に対応した出力値Ｘｏ、である。図１１（ａ）の説明と同様、実際の変換処理では値Ｘｉ，Ｘｏに０〜２５５の階調値や０〜１０２３の階調値等を用いるとよい。図３（ａ）の直線状の対応関係Ｃ１は、入力値Ｘｉが補正されないＡ１＝１，Ｂ１＝０の階調特性を示している。この場合、入力映像信号のＸｉ＝Ｘ１，Ｘ２に相当する基準映像のＷＢのとれるＸｉ−Ｘｏ平面上の点は、Ｐ１，Ｐ４となる。
【００４７】
例えば、Ｇ映像信号の強度に対してＷＢのとれるＲ映像信号の強度が相対的に低く、Ｘｉ＝Ｘ１，Ｘ２の基準映像のＷＢのとれるＸｉ−Ｘｏ平面上の点がＰ２，Ｐ５である場合、Ｒ映像信号のオフセット（Ｂ１）を正とし、Ｒ映像信号の入出力の対応関係をＣ２の直線状対応関係のようにする。一方、Ｇ映像信号の強度に対してＷＢのとれるＲ映像信号の強度が相対的に高く、Ｘｉ＝Ｘ１，Ｘ２の基準映像のＷＢのとれるＸｉ−Ｘｏ平面上の点がＰ３，Ｐ６である場合、Ｒ映像信号のオフセット（Ｂ１）を負とし、Ｒ映像信号の入出力の対応関係をＣ３の直線状対応関係のようにする。Ｂ映像信号の場合も、同様である。Ｇ映像信号のＷＢを調整する場合のＧ映像信号のＷＢ調整も、同様である。
黒レベル調整前の対応関係は、第二の輝度Ｘ２よりも低い基準輝度を表す基準値Ｐｉ（０＜Ｐｉ＜Ｘ２）よりも入力値Ｘｉが大きいときに適用される。基準輝度（基準値Ｐｉ）は、輝度５０％（２５６階調の場合１２８）といった液晶パネル１２８ａに関係ない単純な基準ではなく、カットオフを調整するための低輝度側の第二の輝度Ｘ２よりも低くされる基準である。むろん、基準輝度（基準値Ｐｉ）は、液晶パネル１２８ａに応じて好ましい輝度に設定される。基準値Ｐｉは、図４に例示するように不揮発性メモリ１４０の所定領域に記憶されてもよいし、図９に例示するＷＢ調整処理を実現させるソフトウェア（プログラム）に組み込まれてホワイトバランス調整部１３２のプログラム格納領域に記録されてもよい。
【００４８】
入力したＲ映像信号の輝度に対応した入力値をＸｒｉ、該Ｒ映像信号のＷＢ調整後の輝度に対応した出力値をＸｒｏ、Ｒドライブ調整値で表される補正係数をＡｒ１（Ａｒ１＞０。例えば０．６＜Ａｒ１＜１．５）、Ｒカットオフ調整値で表されるオフセット値をＢｒ１、とするとき、ホワイトバランス調整部１３２は、Ｘｒｉ＞Ｐｉの場合に
Ｘｒｏ＝Ａｒ１・Ｘｒｉ＋Ｂｒ１  …（３）
となるホワイトバランス調整をＲ映像信号に対して行う。入力したＧ映像信号の輝度に対応した入力値をＸｇｉ、該Ｇ映像信号のＷＢ調整後の輝度に対応した出力値をＸｇｏ、Ｇドライブ調整値で表される補正係数をＡｇ１（Ａｇ１＞０。例えば０．６＜Ａｇ１＜１．５）、Ｇカットオフ調整値で表されるオフセット値をＢｇ１、とするとき、ホワイトバランス調整部１３２は、Ｘｇｉ＞Ｐｉの場合に
Ｘｇｏ＝Ａｇ１・Ｘｇｉ＋Ｂｇ１  …（４）
となるホワイトバランス調整をＧ映像信号に対して行う。入力したＢ映像信号の輝度に対応した入力値をＸｂｉ、該Ｂ映像信号のＷＢ調整後の輝度に対応した出力値をＸｂｏ、Ｂドライブ調整値で表される補正係数をＡｂ１（Ａｂ１＞０。例えば０．６＜Ａｂ１＜１．５）、Ｂカットオフ調整値で表されるオフセット値をＢｂ１、とするとき、ホワイトバランス調整部１３２は、Ｘｂｉ＞Ｐｉの場合に
Ｘｂｏ＝Ａｂ１・Ｘｂｉ＋Ｂｂ１  …（５）
となるホワイトバランス調整をＢ映像信号に対して行う。
【００４９】
図３（ｂ）は、黒レベル調整後のＲＧＢ映像信号に対する入出力の対応関係を例示している。ここで、横軸は入力した色毎の映像信号の輝度に対応した入力値Ｘｉ、縦軸は該映像信号の黒レベル調整後の輝度に対応した出力値Ｘｏ、である。実際の変換処理では値Ｘｉ，Ｘｏに０〜２５５の階調値や０〜１０２３の階調値等を用いるとよい。図３（ｂ）の基準の対応関係の例は、図３（ａ）の直線状の対応関係Ｃ３としている。
すなわち、入力映像信号のＸｉ＝Ｐｉ（＜Ｘ２）に相当する対応関係Ｃ１，Ｃ２，Ｃ３上の点をＰ７，Ｐ８，Ｐ９とするとき、０≦Ｘｉ≦Ｐｉの範囲で原点Ｏと点Ｐ７，Ｐ８，Ｐ９とを結ぶ直線状対応関係Ｃ１，Ｃ４，Ｃ５とする。
【００５０】
第二の輝度Ｘ２よりも低い基準輝度を表す基準値をＰｉとするとき、ホワイトバランス調整部１３２は、Ｘｒｉ≦Ｐｉの場合に
Ｘｒｏ＝｛（Ａｒ１・Ｐｉ＋Ｂｒ１）／Ｐｉ｝・Ｘｒｉ  …（６）
となるホワイトバランス調整をＲ映像信号に対して行い、Ｘｇｉ≦Ｐｉの場合に
Ｘｇｏ＝｛（Ａｇ１・Ｐｉ＋Ｂｇ１）／Ｐｉ｝・Ｘｇｉ  …（７）
となるホワイトバランス調整をＧ映像信号に対して行い、Ｘｂｉ≦Ｐｉの場合に
Ｘｂｏ＝｛（Ａｂ１・Ｐｉ＋Ｂｂ１）／Ｐｉ｝・Ｘｂｉ  …（８）
となるホワイトバランス調整をＢ映像信号に対して行う。
【００５１】
以上より、本ＷＢ調整は、Ｐｉ＜Ｘ２である基準輝度（基準値Ｐｉ）で変換処理を分けたことにより、輝度Ｘ１，Ｘ２の２点調整による色温度のリニアリティが実現され、かつ、黒画像の色つきが抑制されるのである。
【００５２】
（４）調整値設定処理：
図８は、コンピュータ４０で行われる調整値設定処理をＴＶ１００で行われる記憶処理とともにフローチャートにより例示している。調整値設定処理は、Ｒ，Ｇ，Ｂの色成分毎に行われる。調整値設定処理を行う前提として、ＴＶ１００の不揮発性メモリ１４０にデフォルトのドライブ調整値及びカットオフ調整値を記憶させ、図１に例示するＷＢ調整システム１を構成しておくものとする。
調整値設定処理を開始すると、ＲＧＢ映像信号のゲインを同じ割合で小さくするようにドライブ調整値を変え、ドライブを下げる（ステップＳ１０２。以下、「ステップ」の記載を省略）。例えば、画像処理ＬＳＩに対するドライブの設定範囲が０〜１倍である場合、その後のドライブ調整によってドライブが上限の１倍を超えるようなドライブ調整値を設定することができない。そこで、予めＲＧＢ映像信号のゲインを同じ割合で小さくしておく。むろん、１倍を超えるドライブ調整値を設定可能な画像処理ＬＳＩを使用する等、その後のドライブ調整によってドライブ設定の上限を超えるおそれが無ければＳ１０２は不要である。
【００５３】
ここで、パターンジェネレータ２０からＴＶ１００へ第一の基準映像信号ＳＳ１が出力されている状態として、ＴＶの液晶パネル１２８ａに表示される比較的高輝度の第一の基準画像Ｖ１の色度（ｘｙ）をカラーアナライザ３０で検出する。コンピュータ４０は、検出された色度（ｘｙ）のデジタル値を取得する（Ｓ１０４）。
Ｓ１０６では、取得した色度値ｘ，ｙが目標の色度値に対して許容範囲内であるか否かを判断する。例えば、目標の色度値をｘta，ｙta、目標の色度値に対する閾値をｔｈx，ｔｈy（ｔｈx＞０、ｔｈy＞０）として、
ｘta−ｔｈx≦ｘ≦ｘta＋ｔｈx
かつ
ｙta−ｔｈy≦ｙ≦ｙta＋ｔｈy
を満足するか否かを判断すればよい。ターゲット値ｘta，ｙtaは、例えば、ｘta＝0.276、ｙta＝0.277とすることができる。
【００５４】
Ｓ１０６で条件不成立の場合、目標の色度ｘta，ｙtaに合わせて可能な限り目標の色度ｘta，ｙtaとなるようにドライブ調整値を決定する（Ｓ１０８）。このドライブ調整値は、上述した補正係数Ａｒ１，Ａｇ１，Ａｂ１に対応した値であり、０〜２５５の階調値や０〜１０２３の階調値等とされる。
【００５５】
ここで、パターンジェネレータ２０からＴＶ１００へ第二の基準映像信号ＳＳ２が出力されている状態として、ＴＶの液晶パネル１２８ａに表示される比較的低輝度の第二の基準画像Ｖ２の色度（ｘｙ）をカラーアナライザ３０で検出する。コンピュータ４０は、検出された色度（ｘｙ）のデジタル値を取得する（Ｓ１１０）。
Ｓ１１２では、取得した色度値ｘ，ｙが目標の色度値に対して許容範囲内であるか否かを判断する。ここでも、例えば、目標の色度値をｘta，ｙta、目標の色度値に対する閾値をｔｈx，ｔｈy（ｔｈx＞０、ｔｈy＞０）として、
ｘta−ｔｈx≦ｘ≦ｘta＋ｔｈx
かつ
ｙta−ｔｈy≦ｙ≦ｙta＋ｔｈy
を満足するか否かを判断すればよい。ターゲット値ｘta，ｙtaは、例えば、ｘta＝0.276、ｙta＝0.277とすることができる。
【００５６】
Ｓ１１２で条件不成立の場合、目標の色度ｘta，ｙtaに合わせて可能な限り目標の色度ｘta，ｙtaとなるようにカットオフ調整値を決定し（Ｓ１１４）、処理をＳ１０６に戻す。このカットオフ調整値は、上述したオフセット値Ｂｒ１，Ｂｇ１，Ｂｂ１に対応した値であり、−１２７〜＋１２７の階調値や−５１１〜＋５１１の階調値等とされる。
Ｓ１０６〜Ｓ１１４の処理は、第二の基準画像Ｖ２の検出色度が許容範囲内となるまで繰り返される。
【００５７】
Ｓ１１２で条件成立の場合、液晶パネル１２８ａの最大輝度に合わせて上記ＷＢ調整後のＲＧＢ映像信号のゲインを同じ割合で大きくするようにドライブ調整値を変え、ドライブを上げる（Ｓ１１６）。
ドライブ調整値で表される補正係数Ａｒ１，Ａｇ１，Ａｂ１のうち最大の補正係数をＤhighとする。まず、最大の補正係数Ｄhighを与えるドライブ調整値については、補正係数を最大の１倍とするように上げる。すなわち、ドライブ調整値で表される補正係数を１／Ｄhigh倍にする。補正係数Ｄhighを与えないドライブ調整値に対しては、補正係数Ｄhighに与えた同じ補正量１／Ｄhighを与える。すなわち、ドライブ調整値で表される補正係数を１／Ｄhigh倍にする。結局、Ｒドライブ調整値を補正係数Ａｒ１／Ｄhighで表される値とし、Ｇドライブ調整値を補正係数Ａｇ１／Ｄhighで表される値とし、Ｂドライブ調整値を補正係数Ａｂ１／Ｄhighで表される値とする。
Ｓ１１６があるのは液晶パネル１２８ａの輝度範囲をなるべく広く使用するためであるので、Ｓ１１６の処理は無くてもよい。
【００５８】
Ｓ１１８では、決定したドライブ調整値（Ａｒ１，Ａｇ１，Ａｂ１）及びカットオフ調整値（Ｂｒ１，Ｂｇ１，Ｂｂ１）をＴＶ１００へ出力する。その後、コンピュータ４０は、調整値設定処理を終了させる。
ドライブ調整値及びカットオフ調整値を入力したＴＶ１００は、図４で示したようにこれらのドライブ調整値及びカットオフ調整値を不揮発性メモリ１４０に記憶させ（Ｓ１５２）、記憶処理を終了させる。
【００５９】
（５）ＷＢ調整処理：
図９は、ＴＶ１００で行われるＷＢ調整処理をフローチャートにより例示している。この処理は、Ｒ，Ｇ，Ｂの色成分毎、かつ、画素毎に行われる。このＷＢ調整処理を実現するためには、ホワイトバランス調整部１３２に、Ｓ２０４の高輝度側ＷＢ調整の演算を行う高輝度用回路、Ｓ２０６の低輝度側ＷＢ調整の演算を行う低輝度用回路、及び、入力値Ｘｉが基準値Ｐｉよりも大きいときに高輝度用回路に切り替えＸｉ≦Ｐｉのときに低輝度用回路に切り替えるＳ２０２に対応した切替回路、を設ければよい。
ＷＢ調整処理を開始すると、入力値Ｘｉが基準値Ｐｉよりも大きいか否かを判断する（Ｓ２０２）。
【００６０】
Ｘｉ＞Ｐｉの場合、高輝度側ＷＢ調整を行い（Ｓ２０４）、ＷＢ調整処理を終了させる。すなわち、ホワイトバランス調整部１３２は、
Ｘｒｉ＞Ｐｉの場合、Ｘｒｏ＝Ａｒ１・Ｘｒｉ＋Ｂｒ１  …（３）
Ｘｇｉ＞Ｐｉの場合、Ｘｇｏ＝Ａｇ１・Ｘｇｉ＋Ｂｇ１  …（４）
Ｘｂｉ＞Ｐｉの場合、Ｘｂｏ＝Ａｂ１・Ｘｂｉ＋Ｂｂ１  …（５）
となるＷＢ調整をＲＧＢ映像信号に対して行う。
【００６１】
Ｘｉ≦Ｐｉの場合、低輝度側ＷＢ調整を行い（Ｓ２０６）、ＷＢ調整処理を終了させる。すなわち、ホワイトバランス調整部１３２は、
Ｘｒｉ≦Ｐｉの場合、
Ｘｒｏ＝｛（Ａｒ１・Ｐｉ＋Ｂｒ１）／Ｐｉ｝・Ｘｒｉ  …（６）
Ｘｇｉ≦Ｐｉの場合、
Ｘｇｏ＝｛（Ａｇ１・Ｐｉ＋Ｂｇ１）／Ｐｉ｝・Ｘｇｉ  …（７）
Ｘｂｉ≦Ｐｉの場合、
Ｘｂｏ＝｛（Ａｂ１・Ｐｉ＋Ｂｂ１）／Ｐｉ｝・Ｘｂｉ  …（８）
となるＷＢ調整をＲＧＢ映像信号に対して行う。
【００６２】
ＷＢ調整処理が行われると、ガンマ変換部１３３がＷＢ調整処理後のＲＧＢ映像信号に対してガンマ変換を行う。具体的には、Ｒ用のγ−ＬＵＴで表される階調特性に従ってＷＢ調整後のＲ映像信号の階調値が変換され、Ｇ用のγ−ＬＵＴで表される階調特性に従ってＷＢ調整後のＧ映像信号の階調値が変換され、Ｂ用のγ−ＬＵＴで表される階調特性に従ってＷＢ調整後のＢ映像信号の階調値が変換される。γ変換後のＲＧＢ映像信号はドライバ１２７で駆動信号に変換され、この駆動信号に従って液晶パネル１２８ａに映像が表示される。
【００６３】
以上説明したように、本ＷＢ調整は、Ｐｉ＜Ｘ２である基準輝度（基準値Ｐｉ）から低い輝度となるＲＧＢ映像信号が上記式（６）〜（８）の対応関係で変換されるので、γ−ＬＵＴを変更せずに黒画像の色つきを抑制することができる。また、輝度Ｘ１，Ｘ２の２点調整による色温度のリニアリティが実現され、今まで行われてきているホワイトバランス補正性能が維持され、ＷＢ調整を向上させるために表示装置生産の工程を追加する必要が無い。従って、本ＷＢ調整システム１は、コストアップを抑制しながら黒画像の色つきを抑制することが可能となる。
【００６４】
（６）変形例：
リモコン１８０等を利用して基準輝度（基準値Ｐｉ）を設定することができると、容易にＷＢ調整を行うことができるので、好適である。
図１０は、ＴＶ１００が行う基準値入力処理をフローチャートにより例示している。本処理は、繰り返し行われ、マルチタスクにより他の処理と並列して行われる。
【００６５】
処理を開始すると、ＴＶ１００は、基準値Ｐｉに対応した記憶用基準値を入力するための入力を受け付けたか否かを判断する（Ｓ３０２）。例えば、一般のユーザに開示していない隠しコマンドの所定の操作がリモコンの操作ボタン１８１に対して行われたか否かを判断すればよい。条件不成立時、ＴＶ１００は、基準値入力処理を終了させる。むろん、繰り返し基準値入力処理が行われ、所定の操作が行われるとＳ３０２で条件成立となる。
Ｓ３０２で条件成立時、記憶用基準値（Ｐｉ）の入力を受け付ける（Ｓ３０４）。例えば、リモコン操作ボタン１８１に含まれる上カーソルボタンが操作されると記憶用基準値の階調値を１加算し、リモコン操作ボタン１８１に含まれる下カーソルボタンが操作されると記憶用基準値の階調値を１減算すればよい。
【００６６】
Ｓ３０６では、記憶用基準値（Ｐｉ）の変更操作を終了するか否かを判断する。例えば、リモコン操作ボタン１８１で確定ボタンが操作されると条件成立とすればよい。Ｓ３０６で条件不成立時には、Ｓ３０４〜Ｓ３０６の処理を繰り返す。
Ｓ３０６で条件成立時、ＴＶ１００は、上述した受け付けにより入力された記憶用基準値（Ｐｉ）を不揮発性メモリ１４０に記憶し（Ｓ３０８）、基準値入力処理を終了させる。
【００６７】
以上説明したようにして容易に記憶用基準値（Ｐｉ）を入力することができるので、工場の作業者はもとより営業の従事者も容易にＷＢ調整を行うことができる。従って、本変形例によると、ＴＶの利便性を向上させることができる。
【００６８】
以上説明したように、本発明によると、種々の態様により、コストアップを抑制しながら黒画像の色つきを抑制することが可能なホワイトバランス調整システム、表示装置、及び、ホワイトバランス調整方法を提供することができる。
【００６９】
なお、従属請求項に係る構成要件を有しておらず独立請求項（実施形態に記載した側面を含む）に係る構成要件のみからなる装置、システム、方法及びプログラムでも、上述した基本的な作用、効果が得られる。
【００７０】
また、本発明は上記実施例に限られるものでないことは言うまでもない。当業者であれば言うまでもないことであるが、
・上記実施例の中で開示した相互に置換可能な部材及び構成等を適宜その組み合わせを変更して適用すること
・上記実施例の中で開示されていないが、公知技術であって上記実施例の中で開示した部材及び構成等と相互に置換可能な部材及び構成等を適宜置換し、またその組み合わせを変更して適用すること
・上記実施例の中で開示されていないが、公知技術等に基づいて当業者が上記実施例の中で開示した部材及び構成等の代用として想定し得る部材及び構成等と適宜置換し、またその組み合わせを変更して適用すること
は本発明の一実施例として開示されるものである。
【符号の説明】
【００７１】
１…ホワイトバランス調整システム、２…調整手段、
２０…パターンジェネレータ、３０…カラーアナライザ、４０…コンピュータ、
１００…テレビジョン（表示装置）、
１１０…マイクロコンピュータ、
１２６…画像処理部、
１３２…ホワイトバランス調整部、１３３…ガンマ変換部、
１４０…不揮発性メモリ、
１８０…リモートコントロール装置、
Ｃ１〜Ｃ５…ドライブ調整の対応関係、
ＳＳ１…第一の基準映像信号、ＳＳ２…第二の基準映像信号、
Ｖ１…第一の基準映像、Ｖ２…第二の基準映像。
【図１】
2012039463.tif 000003
【図２】
2012039463.tif 000004
【図３】
2012039463.tif 000005
【図４】
2012039463.tif 000006
【図５】
2012039463.tif 000007
【図６】
2012039463.tif 000008
【図７】
2012039463.tif 000009
【図８】
2012039463.tif 000010
【図９】
2012039463.tif 000011
【図１０】
2012039463.tif 000012
【図１１】
2012039463.tif 000013